【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
Ａ）ヒドロカルビレン基、ヘテロ原子、およびカルボニル基から選択される１つもしくはそれ以上の基を含んでなる反復単位を含んでなる鎖状、分岐状または環状ポリマー主鎖であって、前記ヒドロカルビレン基が、脂肪族または芳香族、直鎖状、分岐状または環状およびその組み合わせである、ポリマー主鎖；および
Ｂ）式Ｉ：
【化１】
2007526941.tif 000001
の少なくとも１つのアルダロイル（ａｌｄａｒｏｙｌ）構造単位を含有する１つもしくはそれ以上の架橋性単位；
を含んでなる架橋ポリマーであって、
反復単位の前記ヒドロカルビレン基およびヘテロ原子が、場合によりＣ1−Ｃ30ヒドロカルビレン基、ヘテロ原子、およびカルボニル炭素基のうち１つもしくはそれ以上を含んでなる置換基で置換されていてもよくかつ、置換基の前記ヒドロカルビレン基が、脂肪族または芳香族、直鎖状、分岐状、もしくは環状、またはその組み合わせである架橋ポリマー。
【請求項２】
架橋剤を基質ポリマーと接触させて、架橋ポリマーを形成することを含んでなるプロセスによって製造される架橋ポリマーであって、
前記架橋剤が、式ＶＩ、ＶＩＩおよびＶＩＩＩ：
【化３】
2007526941.tif 000002
（式中、ＬおよびＬ'が独立して、適切な官能基を含有し、ｎ＝１〜６、ｍ＝０〜４、およびｐ＝１〜４である）を有し；
前記基質ポリマーが：
Ａ）ヒドロカルビレン基、ヘテロ原子、およびカルボニル炭素基のうちの１つもしくはそれ以上を含んでなる反復単位を含んでなる直鎖状、分岐状または環状ポリマー主鎖であって、
前記ヒドロカルビレンが、脂肪族または芳香族、直鎖状、分岐状、または環状、またはその組み合わせであり；
反復単位の前記ヒドロカルビレン基およびヘテロ原子が、場合によりＣ1−Ｃ30ヒドロカルビレン基、ヘテロ原子、およびカルボニル炭素基のうちの１つもしくはそれ以上を含んでなる置換基で置換されていてもよく、ただし、前記置換基のヒドロカルビレン基が脂肪族または芳香族、直鎖状、分岐状、または環状、またはその組み合わせである、ポリマー主鎖と、
Ｂ）ポリマー主鎖に結合する反応性ペンダント基であって、前記ペンダント基が、式−Ｇまたは−Ｒ−Ｇであり、
ただし、Ｇは、求核体または求電子体であり；
Ｒは独立して炭素原子１〜２２個の直鎖状、環状または分岐状アルキレン、アリーレン、またはアルクアリーレン（ａｌｋａｒｙｌｅｎｅ）基であり、場合によりアルキル、アリール、ヒドロキシ、アミノ、カルボニル、エステル、アミド、アルコキシ、ニトリルまたはハロゲンで置換されていてもよく、場合により−Ｏ−、−Ｓｉ（ＺＺ'）Ｏ−、−（Ｃ＝Ｏ）−または−ＮＺ−結合（式中、ＺおよびＺ'は独立して、水素、アルキル、置換アルキル、アルクアリール、置換アルクアリール、アリール、または置換アリールである）を含有していてもよい反応性ペンダント基と、
を含んでなる架橋ポリマー。
【請求項３】
前記ポリマー主鎖が、場合により置換されていてもよい−ＮＺ−、−Ｎ+ＺＺ'−、−Ｏ−、−Ｃ（＝Ｏ）ＮＺ−、−Ｃ（＝Ｏ）Ｏ−、−Ｃ（＝Ｏ）−、−ＯＣ（＝Ｏ）Ｏ−、−ＯＣ（＝Ｏ）ＮＺ−、−ＮＨＣ（＝Ｏ）ＮＺ−、または−ＳｉＺＺ'Ｏ−結合（ここで、ＺおよびＺ'が独立して、水素、アルキル、置換アルキル、アリール、または置換アリールである）を含んでなる請求項１または２に記載の架橋ポリマー。
【請求項４】
前記反復単位のヒドロカルビレン基およびヘテロ原子上の置換基が、−Ｘ、−Ｏ（Ｚ）、−Ｎ（ＺＺ'）、−Ｎ+（ＺＺ'Ｚ''）、−Ｃ（＝Ｏ）ＯＺ、−Ｃ（＝Ｏ）Ｘ、−Ｃ（＝Ｏ）ＮＺＺ'、−Ｃ＝Ｎ＝Ｏ、−Ｏ−、−Ｎ（Ｚ）−、−Ｎ+（ＺＺ'）−、−Ｃ（＝Ｏ）Ｎ（Ｚ）−、−Ｃ（＝Ｏ）Ｏ−、−Ｃ（＝Ｏ）−、−ＯＣ（＝Ｏ）Ｏ−、−ＯＣ（＝Ｏ）Ｎ（Ｚ）−、−Ｎ（Ｚ）Ｃ（＝Ｏ）Ｎ（Ｚ'）−、−Ｃ（＝Ｏ）ＮＨ（ＣＨ2）pＮＨ2、−Ｓｉ（ＺＺ'）Ｏ−、−（ＯＣＨ2ＣＨ2）mＯＨ、または−（ＯＳｉ（ＺＺ'））nＯＨ、およびその塩（ここで、Ｘは、ハロゲンであり、Ｚ、Ｚ'、およびＺ''は独立して、水素またはＣ1−Ｃ22アルキル、置換アルキル、アリールまたは置換アリールであり、ｍは、１〜５０であり、ｎは、１〜１００であり、ｐは、１〜１２である）のうちの１つもしくはそれ以上を含んでなる請求項１〜３のいずれかに記載の架橋ポリマー。
【請求項５】
基質ポリマーの反復単位が、Ｃ1−Ｃ22アミノアルキル基、−Ｃ（＝Ｏ）ＯＺ、−Ｃ（＝Ｏ）Ｘ、−Ｃ（＝Ｏ）ＮＺＺ'、または−Ｃ（＝Ｏ）ＮＨ（ＣＨ2）nＮＨ2、およびその塩（ここで、Ｘはハロゲンであり、ＺおよびＺ’は独立して水素、Ｃ1−Ｃ12アルキル、置換されたアルキル、アリールまたは置換されたアリールであり、そしてｎは壱〜１２の整数である）のうちの１つもしくはそれ以上を含んでなる置換基を有する脂肪族ヒドロカルビレン基を含んでなる請求項１〜４のいずれかに記載の架橋ポリマー。
【請求項６】
前記ポリマーが、ポリアリルアミン、ポリアリルアミン塩酸塩、分岐状ポリエチレンイミン、分岐状ポリエチレンイミン塩酸塩、ポリ（アクリロイルクロリド）、ポリ（メタクリロイルクロリド）、ポリ［Ｎ−（ω−アミノアルキル）アクリルアミド］、ポリグリコサミン、カルボキシメチルキトサン、キトサン、キトサン塩酸塩、またはその誘導体もしくは塩である請求項１〜５のいずれかに記載の架橋ポリマー。
【請求項７】
前記架橋性単位が、
式ＩＩ、ＩＩＩ、ＩＶ、およびＶ
【化２】
2007526941.tif 000003
（式中、Ｑは、−Ｏ−または−ＮＨ−、またはその塩であり、Ｒ1、Ｒ2、Ｒ3およびＲ4は、脂肪族または芳香族ヒドロカルビレン基、直鎖状、分岐状または環状であり、場合により置換されていてもよく、場合により−Ｏ−、−Ｓｉ（ＺＺ'）Ｏ−、−（Ｃ＝Ｏ）−または−ＮＺ−結合を含有していてもよく、ただし、ＺおよびＺ'は独立して、水素、アルキル、置換アルキル、アルクアリール（ａｌｋａｒｙｌ）、置換アルクアリール、アリール、または置換アリールである）を有する群から選択される１つもしくはそれ以
の基を含んでなり、  式ＩＩ、ＩＩＩ、ＩＶ、またはＶを有する前記基がポリマー主鎖に直接結合する請求項１に記載の架橋ポリマー。
【請求項８】
前記ポリマー主鎖の反復単位の約１％〜約３０％が、架橋性単位に連結されている請求項１または７に記載の架橋ポリマー。
【請求項９】
前記架橋剤が、式ＩＸ、Ｘ、ＸＩ、ＸＩＩ：
【化４】
2007526941.tif 000004
の架橋剤であり、
上記式中、Ａ１は独立して、
【化５】
2007526941.tif 000005
およびその塩から選択され、Ａ２は、
【化６】
2007526941.tif 000006
およびその塩から選択され、
ただし、Ｒ5およびＲ7は独立して、脂肪族または芳香族ヒドロカルビレン基、直鎖状、分岐状または環状であり、場合によりアルキル、アリール、ヒドロキシ、アミノ、カルボニル、カルボキシル、エステル、アミド、アルコキシ、ニトリルまたはハロゲン、またはその塩で置換されていてもよく、場合により−Ｏ−、−Ｓｉ（ＺＺ'）Ｏ−、−（Ｃ＝Ｏ）−または−ＮＺ−結合（ここで、ＺおよびＺ'は独立して、水素、アルキル、置換アルキル、アルクアリール、置換アルクアリール、アリール、または置換アリールである）を含有していてもよく、Ｒ6は、水素または炭素数１〜２２のアルキル基である請求項１３に記載の架橋ポリマー。
【請求項１０】
約０．０００５〜約０．５モル当量の架橋剤が、反応性ペンダント基１個当たりに使用される請求項２または９に記載の架橋ポリマー。
【手続補正２】
【補正対象書類名】明細書
【補正対象項目名】０１７２
【補正方法】変更
【補正の内容】
【０１７２】
バッファー５０ｍＬ中のヒドロゲル１ｍｇを使用し、大腸菌（Ｅｓｃｈｅｒｉｃｈｉａｃｏｌ１）ＡＴＣＣ番号２５９２２の培養ブロス（約１．０×１０5ｃｆｕ／ｍＬ）５０ｍＬを添加したことを除いては、各ヒドロゲルへの暴露され大腸菌の１０ｐｐｍの添加を同様に行った。表１０の結果から、１００ｐｐｍで存在する場合には、３つのすべてのヒドロゲルが生存可能な大腸菌を除去することが示されている。１０ｐｐｍの添加では、ヒドロゲルＡの殺菌速度が、ヒドロゲルＣの殺菌速度よりも速いヒドロゲルBの殺菌速度よりも速いことがされに明らかとなっている。
【手続補正３】
【補正対象書類名】明細書
【補正対象項目名】０１７３
【補正方法】変更
【補正の内容】
【０１７３】
【表１８】
2007526941.tif 000007
【手続補正４】
【補正対象書類名】明細書
【補正対象項目名】０１７４
【補正方法】変更
【補正の内容】
【０１７４】
本発明の特徴または主要な態様は、次のとおりである。
態様１：  Ａ）ヒドロカルビレン基、ヘテロ原子、およびカルボニル基から選択される１つもしくはそれ以上の基を含んでなる反復単位を含んでなる鎖状、分岐状または環状ポリマー主鎖であって、前記ヒドロカルビレン基が、脂肪族または芳香族、直鎖状、分岐状または環状およびその組み合わせである、ポリマー主鎖；および
Ｂ）式Ｉ：
【化１】
2007526941.tif 000008
の少なくとも１つのアルダロイル（ａｌｄａｒｏｙｌ）構造単位を含有する１つもしくはそれ以上の架橋性単位；
を含んでなる架橋ポリマーであって、
反復単位の前記ヒドロカルビレン基およびヘテロ原子が、場合によりＣ1−Ｃ30ヒドロカルビレン基、ヘテロ原子、およびカルボニル炭素基のうち１つもしくはそれ以上を含んでなる置換基で置換されていてもよくかつ、置換基の前記ヒドロカルビレン基が、脂肪族または芳香族、直鎖状、分岐状、もしくは環状、またはその組み合わせである架橋ポリマー。
態様２：  前記ポリマー主鎖が、場合により置換されていてもよい−ＮＺ−、−Ｎ+ＺＺ'−、−Ｏ−、−Ｃ（＝Ｏ）ＮＺ−、−Ｃ（＝Ｏ）Ｏ−、−Ｃ（＝Ｏ）−、−ＯＣ（＝Ｏ）Ｏ−、−ＯＣ（＝Ｏ）ＮＺ−、−ＮＨＣ（＝Ｏ）ＮＺ−、または−ＳｉＺＺ'Ｏ−結合（ここで、ＺおよびＺ'が独立して、水素、アルキル、置換アルキル、アリール、または置換アリールである）を含んでなる態様１に記載の架橋ポリマー。
態様３：  前記反復単位のヒドロカルビレン基およびヘテロ原子上の置換基が、−Ｘ、−Ｏ（Ｚ）、−Ｎ（ＺＺ'）、−Ｎ+（ＺＺ'Ｚ''）、−Ｃ（＝Ｏ）ＯＺ、−Ｃ（＝Ｏ）Ｘ、−Ｃ（＝Ｏ）ＮＺＺ'、−Ｃ＝Ｎ＝Ｏ、−Ｏ−、−Ｎ（Ｚ）−、−Ｎ+（ＺＺ'）−、−Ｃ（＝Ｏ）Ｎ（Ｚ）−、−Ｃ（＝Ｏ）Ｏ−、−Ｃ（＝Ｏ）−、−ＯＣ（＝Ｏ）Ｏ−、−ＯＣ（＝Ｏ）Ｎ（Ｚ）−、−Ｎ（Ｚ）Ｃ（＝Ｏ）Ｎ（Ｚ'）−、−Ｃ（＝Ｏ）ＮＨ（ＣＨ2）pＮＨ2、−Ｓｉ（ＺＺ'）Ｏ−、−（ＯＣＨ2ＣＨ2）mＯＨ、または−（ＯＳｉ（ＺＺ'））nＯＨ、およびその塩（ここで、Ｘは、ハロゲンであり、Ｚ、Ｚ'、およびＺ''は独立して、水素またはＣ1−Ｃ22アルキル、置換アルキル、アリールまたは置換アリールであり、ｍは、１〜５０であり、ｎは、１〜１００であり、ｐは、１〜１２である）のうちの１つもしくはそれ以上を含んでなる態様１に記載の架橋ポリマー。
態様４：  前記反復単位が、Ｃ1−Ｃ22アミノアルキル基、−Ｃ（＝Ｏ）ＯＺ、−Ｃ（＝Ｏ）Ｘ、−Ｃ（＝Ｏ）ＮＺＺ'、または−Ｃ（＝Ｏ）ＮＨ（ＣＨ2）pＮＨ2、およびその塩のうちの１つもしくはそれ以上を含んでなる置換基を有する脂肪族ヒドロカルビレン基を含んでなる態様３に記載の架橋ポリマー。
態様５：  少なくとも１つの反復単位が、置換基として、１つもしくはそれ以上の末端アミノアルキル基またはその塩を有する、窒素原子を含んでなるアザヒドロカルビレンまたはその塩である態様１に記載の架橋ポリマー。
態様６：  少なくとも１つの反復単位が、場合によりアルキルまたはアルダロイル基またはその塩で置換されていてもよい、Ｃ1−Ｃ22アミノアルキル基のうちの１つもしくはそれ以上を含んでなる１つもしくはそれ以上の置換基を含有する態様１に記載の架橋ポリマー。
態様７：  前記ポリマーが、ポリアリルアミン、ポリアリルアミン塩酸塩、分岐状ポリエチレンイミン、分岐状ポリエチレンイミン塩酸塩、ポリ（アクリロイルクロリド）、ポリ（メタクリロイルクロリド）、ポリ［Ｎ−（ω−アミノアルキル）アクリルアミド］、ポリグリコサミン、カルボキシメチルキトサン、キトサン、キトサン塩酸塩、またはその誘導体もしくは塩である態様１に記載の架橋ポリマー。
態様８：  架橋性単位におけるアルダロイル部位が、グルカロイル、ガラクタロイル、マンナロイル、キシラロイル、またはタータロイルである態様１に記載の架橋ポリマー。
態様９：  前記架橋性単位が、
式ＩＩ、ＩＩＩ、ＩＶ、およびＶ
【化２】
2007526941.tif 000009
（式中、Ｑは、−Ｏ−または−ＮＨ−、またはその塩であり、Ｒ1、Ｒ2、Ｒ3およびＲ4は、脂肪族または芳香族ヒドロカルビレン基、直鎖状、分岐状または環状であり、場合により置換されていてもよく、場合により−Ｏ−、−Ｓｉ（ＺＺ'）Ｏ−、−（Ｃ＝Ｏ）−または−ＮＺ−結合を含有していてもよく、ただし、ＺおよびＺ'は独立して、水素、アルキル、置換アルキル、アルクアリール（ａｌｋａｒｙｌ）、置換アルクアリール、アリール、または置換アリールである）を有する群から選択される１つもしくはそれ以上の基を含んでなり、
式ＩＩ、ＩＩＩ、ＩＶ、またはＶを有する前記基がポリマー主鎖に直接結合する態様１に記載の架橋ポリマー。
態様１０：  Ｒ1は、−［（ＣＨ2）0-22］−、−（ＣＨ2）aＣ6Ｈ10（ＣＨ2）b−、−（ＣＨ2ＣＨ2ＮＨ）1-22ＣＨ2ＣＨ2−、−［（ＣＨ2ＣＨ（Ｚ'）Ｏ）1-22（ＣＨ2）2-3］−（ここで、Ｚ'は、ＨまたはＣＨ3である）、−Ｃ（Ｏ）ＮＨ（ＣＨ2）2-22−、または−（ＣＨ2）a（Ｃ6Ｈ4）（ＣＨ2）b−（ここで、ａ＝０〜６およびｂ＝０〜６である）であり；
Ｒ2は、−［（ＣＨ2）1-21］−、−ＣＨ（ＣＨ3）−、−ＣＨ（イソプロピル）−、−ＣＨ（イソブチル）−、−ＣＨ（ＣＨ（ＣＨ3）ＣＨ2ＣＨ3）−、−ＣＨ（ＣＨ2ＯＨ）−、−ＣＨ（ＣＨ2ＣＨ2ＳＣＨ3）−、−ＣＨ（ＣＨ（ＯＨ）ＣＨ3）−、−ＣＨ（ＣＨ2Ｃ6Ｈ5）−、−ＣＨ（ＣＨ2Ｃ6Ｈ4ＯＨ）−、−ＣＨ（ＣＨ2ＣＯＮＨ2）−、または−ＣＨ（ＣＨ2ＣＨ2ＣＯＮＨ2）−であり；
Ｒ3は、−［（ＣＨ2）2-22］−、−［（ＣＨ2）0-6（Ｃ6Ｈ10）（ＣＨ2）0-6］−、−［（ＣＨ2）0-6Ｃ6Ｈ4（ＣＨ2）0-6］−、−［ＣＨ2ＣＨ2（ＯＣＨ2ＣＨ2）1-21］−、−［ＣＨ2ＣＨ（ＣＨ3）［ＯＣＨ2ＣＨ（ＣＨ3）］1-21］−、−（ＣＨ2ＣＨ2ＮＨ）1-22ＣＨ2ＣＨ2−、−［ＣＨ2ＣＨ（ＣＨ3）［ＯＣＨ2ＣＨ（ＣＨ3）］x（ＯＣＨ2ＣＨ2）y［ＯＣＨ2ＣＨ（ＣＨ3）］z］−（ここで、ｘ＋ｙ＋ｚ＝２〜５０である）、−［ＣＨ2ＣＨ2（ＯＣＨ2ＣＨ2）x［ＯＣＨ2ＣＨ（ＣＨ3）］y（ＯＣＨ2ＣＨ2）z］−（ここで、ｘ＋ｙ＋ｚ＝２〜５０である）、−［ＣＨ（ＣＨ3）ＣＨ2Ｏ］xＣＨ2Ｃ（Ｚ'）（ＣＨ2［ＯＣＨ2ＣＨ（ＣＨ3）］y−）ＣＨ2［ＯＣＨ2ＣＨ（ＣＨ3）］z−（ここで、ｘ＋ｙ＋ｚ＝２〜１０であり、Ｚ'はＨ、メチルまたはエチルである）、−［ＣＨ（ＣＨ3）ＣＨ2Ｏ］xＣＨ2ＣＨ（［ＯＣＨ2ＣＨ（ＣＨ3）］y−）ＣＨ2［ＯＣＨ2ＣＨ（ＣＨ3）］z−（ここで、ｘ＋ｙ＋ｚ＝３〜１００である）または−ＣＨ2ＣＨ2ＣＨ2ＣＨ2［ＣＨ（ＮＨ2）ＣＯＮＨＣＨ2ＣＨ2ＣＨ2ＣＨ2］0-10ＣＨ（ＣＯＹＲ）−またはその塩（ここで、Ｙは、ＯまたはＮＨであり、Ｒは、場合により置換されていてもよいＣ1−Ｃ22アルキル、アリール、またはアルクアリールである）；
Ｒ4は、−Ｃ（＝Ｏ）−、−Ｃ6Ｈ4ＣＨ2−、−（ＣＨ2）1-22Ｙ'ＣＨ2ＣＨ（ＯＨ）ＣＨ2−、または−（ＣＨ2）1-22Ｙ'Ｃ（Ｏ）ＣＨ（ＯＨ）ＣＨ2−（ここで、Ｙ'は、ＯまたはＮＨである）である態様９に記載の架橋ポリマー。
態様１１：  前記ポリマー主鎖反復単位の約０．１％〜約１００％が、架橋性単位に連結されている態様１に記載の架橋ポリマー。
態様１２：  前記ポリマー主鎖反復単位の約１％〜約３０％が、架橋性単位に連結されている態様１１に記載の架橋ポリマー。
態様１３：  架橋剤を基質ポリマーと接触させて、架橋ポリマーを形成することを含んでなるプロセスによって製造される架橋ポリマーであって、
前記架橋剤が、式ＶＩ、ＶＩＩおよびＶＩＩＩ：
【化３】
2007526941.tif 000010
（式中、ＬおよびＬ'が独立して、適切な官能基を含有し、ｎ＝１〜６、ｍ＝０〜４、
およびｐ＝１〜４である）を有し；
前記基質ポリマーが：
Ａ）ヒドロカルビレン基、ヘテロ原子、およびカルボニル炭素基のうちの１つもしくはそれ以上を含んでなる反復単位を含んでなる直鎖状、分岐状または環状ポリマー主鎖であって、
前記ヒドロカルビレンが、脂肪族または芳香族、直鎖状、分岐状、または環状、またはその組み合わせであり；
反復単位の前記ヒドロカルビレン基およびヘテロ原子が、場合によりＣ1−Ｃ30ヒドロカルビレン基、ヘテロ原子、およびカルボニル炭素基のうちの１つもしくはそれ以上を含んでなる置換基で置換されていてもよく、ただし、前記置換基のヒドロカルビレン基が脂肪族または芳香族、直鎖状、分岐状、または環状、またはその組み合わせである、ポリマー主鎖と、
Ｂ）ポリマー主鎖に結合する反応性ペンダント基であって、前記ペンダント基が、式−Ｇまたは−Ｒ−Ｇであり、
ただし、Ｇは、求核体または求電子体であり；
Ｒは独立して炭素原子１〜２２個の直鎖状、環状または分岐状アルキレン、アリーレン、またはアルクアリーレン（ａｌｋａｒｙｌｅｎｅ）基であり、場合によりアルキル、アリール、ヒドロキシ、アミノ、カルボニル、エステル、アミド、アルコキシ、ニトリルまたはハロゲンで置換されていてもよく、場合により−Ｏ−、−Ｓｉ（ＺＺ'）Ｏ−、−（Ｃ＝Ｏ）−または−ＮＺ−結合（式中、ＺおよびＺ'は独立して、水素、アルキル、置換アルキル、アルクアリール、置換アルクアリール、アリール、または置換アリールである）を含有していてもよい反応性ペンダント基と、を含んでなる架橋ポリマー。
態様１４：  前記の適切な官能基が、アミン、ヒドロキシル、カルボン酸、エステル、ウレタン、尿素、アミド、またはイソシアネートから誘導され；Ｇは、エポキシド、イソシアネート、ベンジルハロゲン化物、アミン、酸ハロゲン化物、エステル、またはアミドである態様１３に記載の架橋ポリマー。
態様１５：  ＬおよびＬ'が独立して、−Ｙ−Ｒ（ここで、ＹはＯ、ＮＨ、またはＳであり、Ｒは、アルキル、置換アルキル、アルクアリール、置換アルクアリール、アリール、または置換アリールである）から選択される態様１３に記載の架橋ポリマー。
態様１６：  ＬおよびＬ'が独立して、場合により置換されていてもよい−ＮＨＲ''、−ＯＨ、および−Ｃ（＝Ｏ）ＯＲ''から選択され；Ｇが、−ＮＨ2、−Ｃ（＝Ｏ）Ｃｌ、−Ｃ（＝Ｏ）ＯＲ''、または−Ｃ（＝Ｏ）ＮＨ−Ｒ''−ＮＨ2（ここで、Ｒ''は独立して、水素または場合により置換されていてもよいヒドロカルビルまたはヒドロカルビレンである）から選択され、ｎ＝２〜４、ｍ＝０〜１、およびｐ＝２〜３である態様１３に記載の架橋ポリマー。
態様１７：  前記反応性ペンダント基の１００％未満が、架橋剤に対して実質的に非反応性であるように誘導体化され、前記誘導体化が、架橋剤をポリマー基質と接触させる前、間、または後のいずれかで行われる態様１３に記載の架橋ポリマー。
態様１８：  前記反応性ペンダント基が、架橋剤をポリマー基質と接触させる前に誘導体化される態様１３に記載の架橋ポリマー。
態様１９：  前記反応性ペンダント基が、任意の−（ＮＺ）−、および−Ｏ−結合（Ｚは、水素、場合により置換されていてもよいアルキルまたは場合により置換されていてもよいアリールである）を有する、場合により置換されていてもよい脂肪族炭素鎖を含有するように誘導体化される態様１３に記載の架橋ポリマー。
態様２０：  前記反応性ペンダント基が、場合により−Ｏ−結合で置換されていてもよい、および場合により−ＮＨ2、ハロゲン、ヒドロキシル、またはカルボニル基、またはその塩で置換されていてもよい、炭素原子１〜２２個の直鎖状または分岐状アルキル基を含有するように誘導体化される態様１３に記載の架橋ポリマー。
態様２１：  Ｇが−ＮＨ2であり、前記反応性ペンダント基が、Ｃ1−Ｃ22アルキル基で誘導体化される態様１３に記載の架橋ポリマー。
態様２２：  前記反応性ペンダント基の約５０％までが誘導体化される態様１３に記載の架橋ポリマー。
態様２３：  前記反応性ペンダント基の約２０％までが誘導体化される請求項１３に記載の架橋ポリマー。
態様２４：  前記ポリマー主鎖が、−ＮＺ−、−Ｎ+ＺＺ'−、−Ｏ−、−Ｃ（＝Ｏ）ＮＺ−、−Ｃ（＝Ｏ）Ｏ−、−Ｃ（＝Ｏ）−、−ＯＣ（＝Ｏ）Ｏ−、−ＯＣ（＝Ｏ）ＮＺ−、−ＮＨＣ（＝Ｏ）ＮＺ−、または−ＳｉＺＺ'Ｏ−結合（ここで、ＺおよびＺ'が独立して、水素、アルキル、置換アルキル、アリール、または置換アリールである）から選択される少なくとも１つを含んでなる態様１３に記載の架橋ポリマー。
態様２５：  基質ポリマーの前記反復単位が、アミノアルキル基、−Ｃ（＝Ｏ）ＯＺ、−Ｃ（＝Ｏ）Ｘ、−Ｃ（＝Ｏ）ＮＺＺ'、または−Ｃ（＝Ｏ）ＮＨ（ＣＨ2）nＮＨ2（ここで、Ｘは、ハロゲンであり、ＺおよびＺ'は独立して、水素、Ｃ1−Ｃ22アルキル、置換アルキル、アリール、または置換アリールであり、ｎ＝１〜１２である）、またはその塩のうちの１つもしくはそれ以上を含んでなる１つもしくはそれ以上の置換基と共に脂肪族ヒドロカルビレン基を含んでなる態様１３に記載の架橋ポリマー。
態様２６：  反復単位上の置換基が、−Ｘ、−Ｏ（Ｚ）、−Ｎ（ＺＺ'）、−Ｎ+（ＺＺ'Ｚ''）、−Ｃ（＝Ｏ）ＯＺ、−Ｃ（＝Ｏ）Ｘ、−Ｃ（＝Ｏ）ＮＺＺ'、−Ｃ＝Ｎ＝Ｏ、−Ｏ−、−Ｎ（Ｚ）−、−Ｎ+（ＺＺ'）−、−Ｃ（＝Ｏ）Ｎ（Ｚ）−、−Ｃ（＝Ｏ）Ｏ−、−Ｃ（＝Ｏ）−、−ＯＣ（＝Ｏ）Ｏ−、−ＯＣ（＝Ｏ）Ｎ（Ｚ）−、−Ｎ（Ｚ）Ｃ（＝Ｏ）Ｎ（Ｚ'）−、−Ｃ（＝Ｏ）ＮＨ（ＣＨ2）pＮＨ2、−Ｓｉ（ＺＺ'）Ｏ−、−（ＯＣＨ2ＣＨ2）mＯＨ、または−（ＯＳｉ（ＺＺ'））nＯＨ、またはその塩（ここで、Ｘは、ハロゲンであり、Ｚ、Ｚ'、およびＺ''は独立して、水素または場合により置換されていてもよいＣ1−Ｃ22アルキルまたはアリールであり、ｍは、１〜５０であり、ｎは、１〜１００であり、ｐは、１〜１２である）のうちの１つもしくはそれ以上である態様１３に記載の架橋ポリマー。
態様２７：  前記反復単位が、場合によりアルキルまたはアルダロイル基またはその塩で置換されていてもよい、Ｃ1−Ｃ22アミノアルキル基のうちの１つもしくはそれ以上を含んでなる置換基を含有する態様１３に記載の架橋ポリマー。
態様２８：  少なくとも１つの反復単位が、置換基として１つもしくはそれ以上の末端アミノアルキル基またはその塩を有する、窒素原子を含んでなるアザヒドロカルビレンまたはその塩である態様１３に記載の架橋ポリマー。
態様２９：  前記基質ポリマーが、ポリアリルアミン、ポリアリルアミン塩酸塩、分岐状ポリエチレンイミン、分岐状ポリエチレンイミン塩酸塩、ポリ（アクリロイルクロリド）、ポリ（メタクリロイルクロリド）、ポリ［Ｎ−（ω−アミノアルキル）アクリルアミド］、ポリグリコサミン、カルボキシメチルキトサン、キトサン、キトサン塩酸塩、またはその誘導体もしくは塩を含んでなる態様１３に記載の架橋ポリマー。
態様３０：  前記架橋剤が、アルダル酸、アルダロラクトン、アルダロジラクトン、アルダロラクトンエステル、アルダル酸モノエステル、アルダル酸ジエステル、またはアルダラミド（ａｌｄａｒａｍｉｄｅ）、またはその塩から誘導される態様１３に記載の架橋ポリマー。
態様３１：  前記架橋剤が、グルカル酸、ガラクタル酸、マンナル酸、キシラル酸または酒石酸から誘導される態様１３に記載の架橋ポリマー。
態様３２：  前記架橋剤が、式ＩＸ、Ｘ、ＸＩ、ＸＩＩ：
【化４】
2007526941.tif 000011
の架橋剤であり、
上記式中、Ａ１は独立して、
【化５】
2007526941.tif 000012
およびその塩から選択され、Ａ２は、
【化６】
2007526941.tif 000013
およびその塩から選択され、
ただし、Ｒ5およびＲ7は独立して、脂肪族または芳香族ヒドロカルビレン基、直鎖状、分岐状または環状であり、場合によりアルキル、アリール、ヒドロキシ、アミノ、カルボニル、カルボキシル、エステル、アミド、アルコキシ、ニトリルまたはハロゲン、またはその塩で置換されていてもよく、場合により−Ｏ−、−Ｓｉ（ＺＺ'）Ｏ−、−（Ｃ＝Ｏ）−または−ＮＺ−結合（ここで、ＺおよびＺ'は独立して、水素、アルキル、置換アルキル、アルクアリール、置換アルクアリール、アリール、または置換アリールである）を含有していてもよく、Ｒ6は、水素または炭素数１〜２２のアルキル基である態様１３に記載の架橋ポリマー。
態様３３：  Ｒ5およびＲ7が独立して、任意の−（ＮＺ）−または−Ｏ−結合（式中、Ｚは、水素、場合により置換されていてもよいアルキルまたは場合により置換されていてもよいアリールである）を有する、場合により置換されていてもよい脂肪族炭素鎖である態様３２に記載の架橋ポリマー。
態様３４：  Ｒ5およびＲ7が独立して、場合により−Ｏ−結合で置換されていてもよい、および場合により−ＮＨ2基またはその塩で置換されていてもよい、炭素原子１〜１０個の直鎖状、環状または分岐状アルキレン基である態様３２に記載の架橋ポリマー。
態様３５：  Ｒ7は、−［（ＣＨ2）1-21］−；−ＣＨ（ＣＨ3）−；−ＣＨ（イソプロピル）−；−ＣＨ（イソブチル）−；−ＣＨ（ＣＨ（ＣＨ3）ＣＨ2ＣＨ3）−；−ＣＨ（ＣＨ2ＯＨ）−；−ＣＨ（ＣＨ2ＣＨ2ＳＣＨ3）−；−ＣＨ（ＣＨ（ＯＨ）ＣＨ3）−；−ＣＨ（ＣＨ2Ｃ6Ｈ5）−；−ＣＨ（ＣＨ2Ｃ6Ｈ4ＯＨ）−；−ＣＨ（ＣＨ2ＣＯＮＨ2）−；または−ＣＨ（ＣＨ2ＣＨ2ＣＯＮＨ2）−であり；
Ｒ5は、−［（ＣＨ2）2-22］−；−［（ＣＨ2）0-6（Ｃ6Ｈ10）（ＣＨ2）0-6］−；−［（ＣＨ2）0-6Ｃ6Ｈ4（ＣＨ2）0-6］−；−［ＣＨ2ＣＨ2（ＯＣＨ2ＣＨ2）1-21］−；−［ＣＨ2ＣＨ（ＣＨ3）［ＯＣＨ2ＣＨ（ＣＨ3）］1-21］−；−（ＣＨ2ＣＨ2ＮＨ）1-22ＣＨ2ＣＨ2−；−［ＣＨ2ＣＨ（ＣＨ3）［ＯＣＨ2ＣＨ（ＣＨ3）］x（ＯＣＨ2ＣＨ2）y［ＯＣＨ2ＣＨ（ＣＨ3）］z］−（ここで、ｘ＋ｙ＋ｚ＝２〜５０である）；−［ＣＨ2ＣＨ2（ＯＣＨ2ＣＨ2）x［ＯＣＨ2ＣＨ（ＣＨ3）］y（ＯＣＨ2ＣＨ2）z］−（ここで、ｘ＋ｙ＋ｚ＝２〜５０である）；−［ＣＨ（ＣＨ3）ＣＨ2Ｏ］xＣＨ2Ｃ（Ｚ'）（ＣＨ2［ＯＣＨ2ＣＨ（ＣＨ3）］y−）ＣＨ2［ＯＣＨ2ＣＨ（ＣＨ3）］z−（式中、ｘ＋ｙ＋ｚ＝２〜１０であり、Ｚ'は、Ｈ、メチルまたはエチルである）；−［ＣＨ（ＣＨ3）ＣＨ2Ｏ］xＣＨ2ＣＨ（［ＯＣＨ2ＣＨ（ＣＨ3）］y−）ＣＨ2［ＯＣＨ2ＣＨ（ＣＨ3）］z−（式中、ｘ＋ｙ＋ｚ＝３〜１００である）；または−ＣＨ2ＣＨ2ＣＨ2ＣＨ2［ＣＨ
（ＮＨ2）ＣＯＮＨＣＨ2ＣＨ2ＣＨ2ＣＨ2］0-10ＣＨ（ＣＯＹＲ）−（ここで、Ｙは、ＯまたはＮＨであり、Ｒは、場合により置換されていてもよいＣ1−Ｃ22アルキル、アリール、またはアルクアリールである）またはその塩である態様３２に記載の架橋ポリマー。
態様３６：  約０．０００５〜約０．５モル当量の架橋剤が、反応性ペンダント基１個当たりに使用される態様３２に記載の架橋ポリマー。
態様３７：  約０．００５〜約０．５モル当量の架橋剤が、反応性ペンダント基１個当たりに使用される態様３２に記載の架橋ポリマー。
態様３８：  ０．０１〜０．２５モル当量の反応性ペンダント基が誘導体化される態様３２に記載の架橋ポリマー。
態様３９：  態様１または態様１３に記載のポリマーを含んでなるヒドロゲル。
態様４０：  態様１または態様１３に記載のポリマーを含んでなる導電性ヒドロゲル。
態様４１：  態様１または態様１３に記載のポリマーを含んでなる抗菌性組成物。
態様４２：  態様１または態様１３に記載のポリマーを含んでなる乳化剤。
態様４３：  態様１または態様１３に記載のポリマーを含んでなる増粘剤。
態様４４：  態様１または態様１３に記載のポリマーを含んでなるパーソナルケア製品。
態様４５：  態様１または態様１３に記載のポリマーが抗菌性である態様４４に記載のパーソナルケア製品。
態様４６：  スキンコンディショナーまたはヘアコンディショナーである態様４４に記載のパーソナルケア製品。
態様４７：  態様１または態様１３に記載のポリマーの有効量を塗布することを含んでなるヒトの皮膚を浄化するまたは滑らかにする方法。
態様４８：  態様１または態様１３に記載のポリマーの有効量を塗布することを含んでなる毛髪をコンディショニングする方法。
態様４９：  態様１または態様１３に記載のポリマーの有効量を微生物と接触させることを含んでなる、少なくとも１種の微生物を殺す、または少なくとも１種の微生物の成長を抑制または防止する方法。
態様５０：  表面上の微生物の個体数を低減するのに十分な時間、態様１または態様１３に記載のポリマーの有効量と表面を接触させることを含んでなる表面上の微生物の個体数を低減する方法。
態様５１：  前記表面が動物の皮膚である態様５０に記載の方法。
態様５２：  前記動物がヒトである態様５１に記載の方法。
態様５３：  基材に結合された、または組み込まれた態様１または態様１３に記載のポリマーを含んでなる抗菌性基材。
態様５４：  態様５３に記載の抗菌性基材を含んでなる物品。